(57)【要約】【課題】多チャンネルの直流高圧外部接点信号を限流抵抗で電圧・電流を制限してＤＩモジュールの表示入力回路に取り込む表示入力装置で、限流抵抗を小型化・低電力容量化し、限流抵抗をＤＩモジュール内や端子台内に実装可能にする。【解決手段】ＦＰＧＡ構成のリモート制御回路５０と、各表示入力チャンネル数分だけ設けたフォトカプラＰＣ１は、外部接点の各チャンネルの電源コモンＤＩ−ＣＯＭと、表示入力回路１０の各入力回路側になる表示電源コモンＦ−ＧＮＤとの間を、常時は開放制御しておき、当該外部接点の表示入力信号を取り込むときのみ接続制御する。  限流抵抗Ｒは、ＤＩモジュール１００に実装、または外部接点との端子接続を得る端子台２００に内蔵した構成を含む。【選択図】  図１
2005196517.tif 000002
【特許請求の範囲】
【請求項１】
設備／機器の動作状態に応じてオン・オフ動作する多チャンネルの直流高圧外部接点信号をそれぞれ限流抵抗で電圧・電流を制限してＤＩモジュールの各表示入力回路に取り込むための表示入力装置であって、
前記外部接点の各チャンネルの電源コモンと、前記各表示入力回路の入力回路側になる表示電源コモンとの間を、常時は開放制御しておき、当該外部接点の入力信号を取り込むときのみ接続制御する電源コモン開閉制御回路を設けたことを特徴とする表示入力装置。
【請求項２】
前記各限流抵抗は、前記ＤＩモジュールに実装、または外部接点との端子接続を得る端子台に内蔵した構成を特徴とする請求項１に記載の表示入力装置。
【発明の詳細な説明】
【技術分野】
【０００１】
本発明は、遠方監視制御装置の子局など、各種設備／機器の動作状態を表示入力信号としてＤＩモジュールに取り込むための表示入力装置に関する。
【背景技術】
【０００２】
遠方監視制御装置では、設備／機器の動作状態の監視信号として、オン・オフ動作する外部接点信号を取り込むための表示入力装置を設けている。その仕様は設備によって様々であるが、通常ＤＣ１１０Ｖ（−２０〜＋３０％）・５〜５０ｍＡといった電圧・電流仕様の表示入力に対応できるようにしている（例えば、特許文献１参照）。
【０００３】
図３は、従来の表示入力装置を示す。破線ブロックで示すＤＩモジュール１００は、遠方監視制御装置の子局になり、親局から受信した表示入力制御信号（リモート信号）に従って表示入力チャンネル別に時分割で取り込み、親局に送信する。
【０００４】
これら機能をもつＤＩモジュール１００は、端子台２００を介して３２チャンネル分の外部接点信号が入力され、この各チャンネル入力をそれぞれ表示入力回路（３２回路分）１０のフォトカプラＰＣで電気的に絶縁して取り込み、各表示入力回路１０の出力信号を伝送制御回路（ＨＬＳ−Ｓ：High Link Speed-Satellite）２０によってシリアル信号に変換し、ドライバ／レシーバ（ＡＬＳ）３０によって増幅し、送受信回路（ＴＸ／ＲＸ）４０によって送信６Ｍｂｐｓの伝送速度で親局側に送信する。
【０００５】
また、ＤＩモジュール１００は、親局から送信されたリモート信号は、送受信回路４０、ドライバ／レシーバ３０を通して伝送制御回路２０に取り込み、伝送制御回路２０の表示入力制御をする。
【０００６】
限流抵抗Ｒは、端子台２００と各表示入力回路１０との間に、表示入力チャンネル数分だけ設けられる。この限流抵抗Ｒは、表示入力がＤＣ１１０Ｖ・５〜５０ｍＡ仕様になるため、表示入力回路１０への入力電流制限と分圧比を設定する抵抗値にされる。
【特許文献１】特開平１１−２３４９２５号公報
【発明の開示】
【発明が解決しようとする課題】
【０００７】
前記のように、従来の表示入力装置は、表示入力チャンネル数分の限流抵抗Ｒを実装しなければならないが、外部接点入力が連続してオン状態になると、限流抵抗の発熱による温度上昇がかなり大きくなる。
【０００８】
このため、各限流抵抗Ｒは、フォトカプラＰＣを実装したＤＩモジュール１００の基板に実装することが困難であった。そこで、現状では限流抵抗をその発熱の関係から外置きとして他の回路から完全に独立させ、設備機器とのインタフェースである端子台２００とＤＩモジュール１００間に別置きする実装方式としている。この方式では、多数の限流抵抗を必要とする装置では、製作上で非効率（配線量・接続点数が膨大）、コストアップの要因となっている。
【０００９】
本発明の目的は、限流抵抗を小型化・低電力容量化でき、限流抵抗をＤＩモジュール内または端子台内に実装可能にした表示入力装置を提供することにある。
【課題を解決するための手段】
【００１０】
本発明は、前記の課題を解決するため、外部接点の電源コモンと表示入力回路の入力回路側になる表示電源コモンとの間を接続／開放制御するための電源コモン開閉制御回路を設け、常時は電源コモンを開放制御しておき、表示入力信号を取り込むときのみ電源コモンを接続することで、表示入力を取り込むときのみ各限流抵抗に回路電流を流すようにしたもので、以下の構成を特徴とする。
【００１１】
（１）設備／機器の動作状態に応じてオン・オフ動作する多チャンネルの直流高圧外部接点信号をそれぞれ限流抵抗で電圧・電流を制限してＤＩモジュールの各表示入力回路に取り込むための表示入力装置であって、
前記外部接点の各チャンネルの電源コモンと、前記各表示入力回路の入力回路側になる表示電源コモンとの間を、常時は開放制御しておき、当該外部接点の入力信号を取り込むときのみ接続制御する電源コモン開閉制御回路を設けたことを特徴とする。
【００１２】
（２）前記各限流抵抗は、前記ＤＩモジュールに実装、または外部接点との端子接続を得る端子台に内蔵した構成を特徴とする。
【発明の効果】
【００１３】
以上のとおり、本発明によれば、外部接点の各チャンネルの電源コモンと、前記表示入力回路の各入力回路側になる表示電源コモンとの間を、常時は開放制御しておき、当該外部接点の表示入力信号を取り込むときのみ接続制御する電源コモン開閉制御回路を設けたため、限流抵抗を小型化・低電力容量化できる。また、限流抵抗をＤＩモジュール内または端子台内に実装可能になり、製作上で中間配線量・接続点数を大幅に低減し、コストダウンを図ることができる。
【発明を実施するための最良の形態】
【００１４】
図１は、本発明の実施形態を示す表示入力装置の構成図である。同図が図３と異なる部分は、外部接点の電源コモン（DI COM）と表示入力回路１０の入力回路側になる表示電源コモン（F-GND）との間を接続／開放制御するための電源コモン開閉制御回路を設け、チャンネル数分の各限流抵抗Ｒを端子台２００内に実装した点にある。
【００１５】
電源コモン開閉制御回路は、ＦＰＧＡ（フィールド・プログラマブル・ゲート・アレイ）構成のリモート制御回路５０と、各表示入力チャンネル数分だけ設けたフォトカプラＰＣ１で構成し、これらをＤＩモジュール１００の基板に実装する。リモート制御回路５０は、伝送制御回路２０が親局から表示入力のリモート制御信号を受信したときのみ、それに同期して各フォトカプラＰＣ１を選択的にオン制御すると共に、各表示入力回路１０からの表示入力信号を伝送制御回路２０に中継する。
【００１６】
各フォトカプラＰＣ１は、常時はオフ制御され、リモート制御回路５０からオン制御信号が入力されたときのみ、出力側のフォトトランジスタがオン動作し、端子台２００を通した外部接点入力のコモン端子と表示入力回路１００の表示電源コモン（F-GND）との間を接続する。
【００１７】
以上の構成になる本実施形態によれば、外部接点から表示入力を取り込むときのみ限流抵抗Ｒに回路電流を流し、それ以外の期間は限流抵抗Ｒに回路電流が流れるのを回避することができる。つまり、外部接点入力がオン状態にある場合にも、フォトカプラＰＣ１を常時オフ動作（オープン）状態にしておき、限流抵抗Ｒに回路電流が流れるのを抑止する。これによって、限流抵抗Ｒに熱が発生、その温度上昇が起きるという従来の課題を解決することができる。
【００１８】
これに伴い、チャンネル数分だけ設ける多数の限流抵抗Ｒは、従来のそれに比べて電力容量を大幅に低減した小型で安価なものになり、さらに端子台２００の各端子に内蔵してその間の接続配線を省略した構成とすることができる。
【００１９】
図２は、他の実施形態を示す回路構成図である。同図が図１と異なる部分は、限流抵抗ＲをＤＩモジュール１００側に実装した点にある。
【００２０】
本実施形態は、図１の場合と比べて、限流抵抗Ｒの配線の省略を可能とする点では同様であるが、ＤＩモジュール１００の基板に各限流抵抗Ｒをプリント配線で実装することができ、実装効率の面からはより効果的な回路構成となる。
【００２１】
なお、実施形態は、遠方監視制御装置の子局に適用する場合を示すが、表示入力回路をコンピュータのＤＩ回路とする構成に適用して同等の作用効果を得ることができる。この場合、送受信回路４０、ドライバ／レシーバ３０、伝送制御回路２０を省略したＤＩモジュール構成とし、ＦＰＧＡ構成のリモート制御回路５０とフォトカプラＰＣ１で表示入力制御を行う。
【図面の簡単な説明】
【００２２】
【図１】本発明の実施形態を示す表示入力装置の構成図。
【図２】本発明の他の実施形態を示す表示入力装置の構成図。
【図３】従来の表示入力装置の構成図。
【符号の説明】
【００２３】
１００  ＤＩモジュール
２００  端子台
１０  表示入力回路
２０  伝送制御回路
３０  ドライバ／レシーバ
４０  送受信回路
Ｒ  限流抵抗
ＰＣ１  フォトカプラ
【図１】
2005196517.tif 000003
【図２】
2005196517.tif 000004
【図３】
2005196517.tif 000005